(57)【要約】 【課題】  高温さし湯機能を有する給湯装置において、コストを低く抑えた浴槽残水有無判定手段を提供する。【解決手段】  本発明では、電気ヒータ６を備えた貯湯槽２と、給水源からの水と貯湯槽２内のお湯とを混合して設定温度のお湯を出湯する第一の湯水混合手段３及び第二の湯水混合手段１５と、第一の湯水混合手段３にて混合されたお湯を給湯栓から出湯するための出湯管１１と、第二の湯水混合手段１５にて混合されたお湯を浴槽１４に湯はりするための湯はり管１３と、湯はり管１３に湯はり時に開弁するための湯はり電磁弁５と湯はり管１３内の通水量を検出する流量検出手段１６を備え、湯はり操作時に、流量検出手段１６が一旦所定流量以上の流量を検出したのち、検出流量が所定値以下となった場合には浴槽に残水が無いと判断する残水有無判断手段を設けた。【選択図】  図１
2005283039.tif 000002
【特許請求の範囲】
【請求項１】
電気ヒータを備えた貯湯槽と、給水源からの水と前記貯湯槽内のお湯とを混合して設定温度のお湯を出湯する第一の湯水混合手段及び第二の混合手段と、前記第一の湯水混合手段にて混合されたお湯を給湯栓から出湯するための出湯管と、前記第二の混合手段にて混合されたお湯を浴槽に湯はりするための湯はり管と、前記湯はり管に湯はり時に開弁するための湯はり電磁弁と湯はり管内の通水量を検出する流量検出手段を備え、湯はり操作時に、前記流量検出手段が一旦所定流量以上の流量を検出したのち、検出流量が所定値以下となった場合には浴槽に残水が無いと判断する残水有無判断手段を設けた電気温水器。
【請求項２】
浴槽に残水がないと判断した場合に報知し、湯はりを停止する停止手段を設けたことを特徴とする請求項１記載の電気温水器。
【発明の詳細な説明】
【技術分野】
【０００１】
本発明は、浴槽内のお湯の温度を上昇させるために、浴槽の壁面に取り付けられた風呂アダプタを介して高温の湯（例えば８５℃）を浴槽へ供給することが出来る高温さし湯機能を備えた電気温水器に関するものである。
【背景技術】
【０００２】
高温さし湯時にはやけどの恐れを回避するため、まず浴槽の残水の有無を検出し、残水が無い場合には、高温さし湯を中止する残水有無判断手段が必要である。
従来の高温さし湯機能を有する給湯機においては、風呂アダプタに浴槽温度検出装置を設け、この浴槽温度検出装置からの信号により浴槽内の残水の有無を判定していた（例えば特許文献１参照。）。浴槽残水の有無の判定手段として、この様に風呂アダプタに浴槽温度検出装置を設けた場合、風呂アダプタの構造が複雑になるとともに浴槽温度検出装置自体の部品コストも含めたコストアップとなり、さらには、浴槽温度検出装置とリモートコントロール装置間の配線が必要となり施工の手間が増え、そのため施工コストが高くなるという問題もあった。
【０００３】
また、やけどの恐れを回避するために高温さし湯の供給を停止する手段としては、形状記憶合金等の温度により変形する材料を用いて給湯路開閉弁を動作させる弁駆動手段を具備する風呂アダプタがある（例えば特許文献２参照。）。この様な風呂アダプタにおいては、高温さし湯供給中に突然さし湯供給が停止するため、浴槽に残水が無いために停止したのか、その他の原因、例えば給水側の断水等が原因で高温さし湯供給が停止したのか判断がつかないという問題があった。
【０００４】
【特許文献１】特開平１１−２３７１１８
【特許文献２】特開平８−２４７５５６
【発明の開示】
【発明が解決しようとする課題】
【０００５】
本発明は、上記問題を解決するためになされたもので、本発明の課題は、コストを低く抑えた浴槽残水有無判定手段を提供するものである。
【課題を解決するための手段】
【０００６】
上記目的を達成するために請求項１記載の発明のよれば、電気ヒータを備えた貯湯槽と、給水源からの水と前記貯湯槽内のお湯とを混合して設定温度のお湯を出湯する第一の湯水混合手段及び第二の湯水混合手段と、前記第一の湯水混合手段にて混合されたお湯を給湯栓から出湯するための出湯管と、前記第二の湯水混合手段にて混合されたお湯を浴槽に湯はりするための湯はり管と、前記湯はり管に湯はり時に開弁するための湯はり電磁弁と湯はり管内の通水量を検出する流量検出手段を備え、湯はり操作時に、前記流量検出手段が一旦所定流量以上の流量を検出したのち、検出流量が所定値以下となった場合には浴槽に残水が無いと判断する残水有無判断手段を設けることにより、形状記憶合金等の温度により変形する材料を用いて給湯路開閉弁を動作させる弁駆動手段を具備する風呂アダプタを用いた場合でも、浴槽温度検出装置等を新たに設けることなく、浴槽残水の有無を検知することを可能とした。
【０００７】
また、請求項２記載の発明のよれば、浴槽に残水がないと判断した場合に報知し、湯はりを停止する停止手段を設けことにより、浴槽に残水がないことが原因で高温さし湯が中断したことを使用者が認識でき、他の給水の断水等の不具合と区別することを可能とした。
【発明の効果】
【０００８】
本発明によれば、温度により変形する材料を用いて給湯路開閉弁を動作させる弁駆動手段を具備する風呂アダプタを用いた場合でも、浴槽温度検出装置等を新たに設けることなく、浴槽残水の有無を検知することができるという効果がある。
また、浴槽に残水がないことが原因で高温さし湯が中断したことを使用者が認識でき、他の給水の断水等の不具合と区別することができるという効果がある。
【発明を実施するための最良の形態】
【０００９】
以下、本発明の実施の形態を、図面により詳細に説明する。
図１は、本発明に係る電気温水器の構成図である。
給水源（図示しない）からの水は、給水管８から分岐したバイパス管７を通して貯湯槽２に導かれ、ヒータ６により加熱され高温の湯（例えば８５℃）となり、給湯管１０を通して湯水混合弁３及び風呂用湯水混合弁１５に導かれるとともに、給水管８を通して湯水混合弁３及び風呂用湯水混合弁１５へも導かれる。そして、湯水混合弁３でリモコン（図示しない）で設定された設定温度のお湯に混合されたお湯は出湯管１１を通して給湯栓（図示しない）へと供給される。
【００１０】
さらに、風呂用湯水混合弁１５で混合されたお湯は閉止弁付風呂アダプタ１７を介し、浴槽１４への湯はり時にお湯の供給を開始／停止するための湯はり電磁弁５を介して湯はり配管１３に通じている。浴槽への高温さし湯を行う場合には、風呂用湯水混合弁１５の湯側を全開にする。また、湯はり配管１３には浴槽１４への湯はり量をカウントするための流量検知手段１６が備えられている。
【００１１】
次に、図２をもとに第１の実施例の制御動作を説明する。
まず、ステップＳ１で高温さし湯中か否かを判断し、高温さし湯中の場合には、ステップＳ２及びステップＳ３で流量検知手段１６の検出値が２．０リットル／分以上で３秒間継続したか否かを判断し、２．０リットル／分以上のまま３秒間継続した場合には流量検出フラグを１にセットする（ステップＳ４）。
【００１２】
そして、ステップＳ５及びステップＳ６で流量検知手段１６の検出値が２．０リットル／分未満で３０秒間継続したか否かを判断し、２．０リットル／分未満のまま３０秒間継続した場合にはリモコンにて音声や文字にて浴槽の残水が無い旨を報知し（ステップＳ７）、湯はり電磁弁を閉じる（ステップＳ８）。
【００１３】
なお、ステップＳ３で流量検知手段１６の検出値が２．０リットル／分以上のまま３秒間経過しなかった場合や、ステップＳ５で流量検知手段１６の検出値が２．０リットル／分以上であった場合や、ステップＳ６で２．０リットル／分未満が３０秒間継続しなかった場合には、ステップＳ１へ戻る。
【００１４】
また、ステップＳ２で流量検知手段１６の検出値が２．０リットル／分未満であった場合には、ステップＳ９で流量検出フラグが１であるか否かを判断し、１である場合にはステップＳ５へ進む。
【００１５】
ステップＳ９で流量検出フラグが１ではないと判断した場合には、ステップＳ１０及びステップＳ１１で流量検知手段１６の検出値が１．２リットル／分未満で１分間継続したか否かを判断する。そして、１．２リットル／分未満で１分間継続した場合にはリモコンにて音声や文字にて断水である旨を報知し（ステップＳ１２）、湯はり電磁弁を閉じる（ステップＳ８）。  
【００１６】
なお、ステップＳ１０で流量検知手段１６の検出値が１．２リットル／分以上であった場合や、ステップＳ１１で１．２リットル／分未満が１分間継続しなかった場合には、ステップＳ１へ戻る。
【００１７】
このように、高温さし湯操作を実施したとき、流量検出手段１６がいったん所定流量以上の流量を検出したのち、流量検出手段１６による検出流量が所定値以下となった場合には、浴槽に残水がなく、風呂アダプタ１７の閉止弁が自動閉止したと判断し、リモコン等の報知手段にて使用者に音声や文字にて報知する。給水側の断水であれば、高温さし湯操作を実施した直後から流量検出手段１６は流量を検出しないため、浴槽残水無しの場合と区別できる。浴槽残水無しの場合と給水の断水をそれぞれ、別の報知内容としてリモコン等の報知手段にて使用者に音声や文字にて報知する。
【００１８】
第２の実施例としては、風呂アダプタが閉止しても若干の漏れ量を生じることを考慮する。詳細について図３をもとに説明する。
まず、ステップＳ２１で高温さし湯中か否かを判断し、高温さし湯中の場合には、ステップＳ２２及びステップＳ２３で流量検知手段１６の検出値が２．０リットル／分以上で３秒間継続したか否かを判断し、２．０リットル／分以上のまま３秒間継続した場合には流量検出フラグを１にセットする（ステップＳ２４）。
【００１９】
そして、ステップＳ２５及びステップＳ２６で流量検知手段１６の検出値が０リットルを超え、かつ２．０リットル／分未満で３０秒間継続したか否かを判断し、０リットルを超え、かつ２．０リットル／分未満のまま３０秒間継続した場合にはリモコンにて音声や文字にて浴槽の残水が無い旨を報知し（ステップＳ２７）、湯はり電磁弁を閉じる（ステップＳ２８）。
【００２０】
なお、ステップＳ２３で流量検知手段１６の検出値が２．０リットル／分以上のまま３秒間経過しなかった場合や、ステップＳ２６で流量検知手段１６の検出値が０リットル、又は２．０リットル／分以上が３０秒間継続しなかった場合には、ステップＳ２１へ戻る。
【００２１】
また、ステップＳ２２で流量検知手段１６の検出値が２．０リットル／分未満であった場合には、ステップＳ２９で流量検出フラグが１であるか否かを判断し、１である場合にはステップＳ２５へ進む。
【００２２】
ステップＳ２９で流量検出フラグが１ではないと判断した場合や、ステップＳ２５で流量検知手段１６の検出値が０リットル、又は２．０リットル／分以上であった場合には、ステップＳ３０及びステップＳ３１で流量検知手段１６の検出値が０リットルで１分間継続したか否かを判断する。そして、０リットルで１分間継続した場合にはリモコンにて音声や文字にて断水である旨を報知し（ステップＳ３２）、湯はり電磁弁を閉じる（ステップＳ２８）。  
【００２３】
なお、ステップＳ１０で流量検知手段１６の検出値が０リットル／分でなかった場合や、ステップＳ３１で０リットル／分が１分間継続しなかった場合には、ステップＳ２１へ戻る。
【００２４】
このように、高温さし湯操作を実施したとき、流量検出手段１６がいったん所定流量以上の流量を検出したあと、所定時間後に流量検出手段１６による検出流量が所定値以下かつ零以上となった場合には、浴槽に残水がなく、風呂アダプタ１７の閉止弁が自動閉止したと判断し、一方、流量検出手段１６がいったん所定流量以上の流量を検出したにもかかわらず、所定時間後に流量検出手段１６による検出流量が零となった場合には、給水側の断水であると判断し、浴槽残水無しの場合と給水の断水をそれぞれ、別の報知内容としてリモコン等の報知手段にて使用者に音声や文字にて報知する。この方法であれば、高温さし湯途中で断水しても浴槽残水なしの場合と区別できる。
【００２５】
第３の実施例としては、風呂アダプタが閉止する際に閉止し始めてから閉止完了するまでに、一定の時間を要することを考慮する。詳細について図４をもとに説明する。
まず、ステップＳ４１で高温さし湯中か否かを判断し、高温さし湯中の場合には、ステップＳ４２及びステップＳ４３で流量検知手段１６の検出値が２．０リットル／分以上で３秒間継続したか否かを判断し、２．０リットル／分以上のまま３秒間継続した場合には流量検出フラグを１にセットする（ステップＳ４４）。
【００２６】
そして、ステップＳ４５にて１０秒間経過したかを判断し、１０秒間経過後に、ステップＳ４６及びステップＳ４７で流量検知手段１６の検出値が２．０リットル／分未満で３０秒間継続したか否かを判断し、２．０リットル／分未満のまま３０秒間継続した場合にはリモコンにて音声や文字にて浴槽の残水が無い旨を報知し（ステップＳ４８）、湯はり電磁弁を閉じる（ステップＳ４９）。
【００２７】
なお、ステップＳ４３で流量検知手段１６の検出値が２．０リットル／分以上のまま３秒間経過しなかった場合や、ステップＳ４５で１０秒間経過していない場合や、ステップＳ４６で流量検知手段１６の検出値が２．０リットル／分以上であった場合や、ステップＳ４７で２．０リットル／分未満が３０秒間継続しなかった場合には、ステップＳ４１へ戻る。
【００２８】
また、ステップＳ４２で流量検知手段１６の検出値が２．０リットル／分未満であった場合には、ステップＳ５０で流量検出フラグが１であるか否かを判断し、１である場合にはステップＳ４５へ進む。
【００２９】
ステップＳ５０で流量検出フラグが１ではないと判断した場合には、ステップＳ５１及びステップＳ５２で流量検知手段１６の検出値が１．２リットル／分未満で１分間継続したか否かを判断する。そして、１．２リットル／分未満で１分間継続した場合にはリモコンにて音声や文字にて断水である旨を報知し（ステップＳ５３）、湯はり電磁弁を閉じる（ステップＳ４９）。  
【００３０】
なお、ステップＳ５１で流量検知手段１６の検出値が１．２リットル／分以上であった場合や、ステップＳ５２で１．２リットル／分未満が１分間継続しなかった場合には、ステップＳ４１へ戻る。
【００３１】
このように、高温さし湯操作を実施したとき、流量検出手段１６がいったん所定流量以上の流量を検出したあと、所定時間後に流量検出手段１６による検出流量が所定値以下となった場合には、浴槽１４に残水がなく、風呂アダプタ１７の閉止弁が自動閉止したと判断し、一方、流量検出手段１６がいったん所定流量以上の流量を検出したあと、前記所定時間後以降に流量検出手段１６による検出流量が所定値以下となった場合には、給水側の断水であると判断し、浴槽残水無しの場合と給水の断水をそれぞれ、別の報知内容として報知手段にて使用者に報知する。この方法であれば、高温さし湯途中で断水しても浴槽残水なしの場合と区別できる。
【図面の簡単な説明】
【００３２】
【図１】本発明の一実施形態に係る電気温水器の構成図
【図２】本発明の第１の実施例に係る制御動作フロー
【図３】本発明の第２の実施例に係る制御動作フロー
【図４】本発明の第３の実施例に係る制御動作フロー
【符号の説明】
【００３３】
１…電気温水器本体
２…貯湯槽
３…湯水混合弁
５…湯はり電磁弁
６…ヒータ
７…バイパス管
８…給水管
１０…給湯管
１１…出湯管
１３…湯はり配管
１４…浴槽
１５…風呂用湯水混合弁
１６…流量検知手段
１７…閉止弁付風呂アダプタ
【図１】
2005283039.tif 000003
【図２】
2005283039.tif 000004
【図３】
2005283039.tif 000005
【図４】
2005283039.tif 000006